(57)【要約】【課題】  装置の薄型化および強度の確保が可能であるとともに、各種の電装部品を有効に配置することができる両面表示装置を提供する。【解決手段】  両面表示装置１は、それぞれの一方の主面２１に表示面２２を有し、該表示面２２に画像を表示する２枚の表示パネル１１と、電装部品１８と、電装部品１８が設置される部品設置体１７と、それぞれの他方の主面２３同士が互いに対向し、それぞれの表示面２２が外部に露出し、それぞれの厚み方向が一致するように、２枚の表示パネル１１を保持する保持部１３とを含み、部品設置体１７は、各表示面２２に平行な仮想一平面に投影したときの投影領域が、各表示面２２を前記仮想一平面に投影したときの投影領域と重複しないように配置されて、保持部１３によって保持される。【選択図】      図２
2014081507.tif 000002
【特許請求の範囲】
【請求項１】
それぞれの一方の主面に表示面を有し、該表示面に画像を表示する２枚の表示パネルと、
電装部品と、
前記電装部品が設置される部品設置体と、
それぞれの他方の主面同士が互いに対向し、それぞれの表示面が外部に露出し、それぞれの厚み方向が一致するように、前記２枚の表示パネルを保持する保持部とを含み、
前記部品設置体は、各表示面に平行な仮想一平面に投影したときの投影領域が、各表示面を前記仮想一平面に投影したときの投影領域と重複しないように配置されて、前記保持部によって保持されることを特徴とする両面表示装置。
【請求項２】
前記表示パネルよりも高い剛性を有する板状の剛性体をさらに含み、
前記保持部は、前記２枚の表示パネルを間隔をあけて保持するとともに、前記２枚の表示パネルの間で前記剛性体を保持することを特徴とする請求項１に記載の両面表示装置。
【請求項３】
前記剛性体と前記保持部とによって構成される部分が、前記表示面に対向して見たときに、Ｈ字状またはＵ字状を呈していることを特徴とする請求項２に記載の両面表示装置。
【請求項４】
前記部品設置体は、板状に形成され、
前記電装部品は、前記２枚の表示パネルを駆動する駆動回路部を含み、
前記駆動回路部は、前記部品設置体の主面上に設置されることを特徴とする請求項１〜３のいずれか１つに記載の両面表示装置。
【請求項５】
前記部品設置体は、その厚み方向が前記２枚の表示パネルの厚み方向に一致するように前記保持部によって保持され、
前記駆動回路部は、一方の表示パネルを駆動する第１駆動回路部と、他方の表示パネルを駆動する第２駆動回路部とを有し、
前記第１駆動回路部は、前記部品設置体において、前記一方の表示パネルが配置される側の主面上に設置され、前記第２駆動回路部は、前記部品設置体において、前記他方の表示パネルが配置される側の主面上に設置されることを特徴とする請求項４記載の両面表示装置。
【発明の詳細な説明】
【技術分野】
【０００１】
本発明は、装置の正面および背面に画像を表示する両面表示装置に関する。
【背景技術】
【０００２】
従来から、デパートなどの店舗、駅の構内およびプラットフォームなどに設置され、情報を適時に知らせるためのスタンド方式の表示装置や、駅構内などにおいて天井に取り付けられて情報を表示する吊下方式の表示装置などが知られている。これらは、一方側から観察する構造のものがほとんどであり、表示する場所や用途によっては、反対側からも観察できるような表示装置の設置が望まれている。
【０００３】
たとえば特許文献１〜３には、装置の正面および背面に画像を表示するように構成された両面表示装置が開示されている。
【０００４】
特許文献１には、屋外設置用とした両面表示装置であって、２つの縦フレームに２つの表示パネルユニットの両端を固定し、２つの表示パネルユニットの間に、放熱するための空間を設けた両面表示装置が開示されている。
【０００５】
また特許文献２には、各ＬＣＤ（Liquid Crystal Display）の背面に各ＬＣＤへ光を照射する導光板を各々設け、その導光板に設けられた爪によってＬＣＤを固定するように構成された両面表示装置が開示されている。
【０００６】
また特許文献３には、２つの液晶ディスプレイ装置を重ね合わせた、吊り下げ型表示装置やスタンド型表示装置が開示されている。
【先行技術文献】
【特許文献】
【０００７】
【特許文献１】特開２０１０−１０２２２７号公報
【特許文献２】特開２００３−１８５９９４号公報
【特許文献３】特開２０００−７５８１５号公報
【発明の概要】
【発明が解決しようとする課題】
【０００８】
これら各特許文献１〜３に開示される両面表示装置は、装置の両面にて画像を表示することを可能とするために、従来の片面用の表示装置を単に重ね合わせて構成されるものである。したがって、このように構成される両面表示装置では、装置全体を薄型化していくには限度があるという問題がある。
【０００９】
また、これら各特許文献１〜３には、装置を薄型化していく上で課題となってくる装置の強度について、何ら記載されておらず、これらの各引用文献１〜３を参照しても、両面表示装置における装置の薄型化と強度の確保という２つの課題を解決することができないという問題がある。
【００１０】
本発明の目的は、装置の薄型化および強度の確保が可能であるとともに、各種の電装部品を有効に配置することができる両面表示装置を提供することである。
【課題を解決するための手段】
【００１１】
本発明は、それぞれの一方の主面に表示面を有し、該表示面に画像を表示する２枚の表示パネルと、
電装部品と、
前記電装部品が設置される部品設置体と、
それぞれの他方の主面同士が互いに対向し、それぞれの表示面が外部に露出し、それぞれの厚み方向が一致するように、前記２枚の表示パネルを保持する保持部とを含み、
前記部品設置体は、各表示面に平行な仮想一平面に投影したときの投影領域が、各表示面を前記仮想一平面に投影したときの投影領域と重複しないように配置されて、前記保持部によって保持されることを特徴とする両面表示装置である。
【００１２】
本発明に係る両面表示装置では、前記部品設置体は、前記表示パネルよりも高い剛性を有するのが好ましい。
【００１３】
また本発明は、前記表示パネルよりも高い剛性を有する板状の剛性体をさらに含み、
前記保持部は、前記２枚の表示パネルを間隔をあけて保持するとともに、前記２枚の表示パネルの間で前記剛性体を保持することを特徴とする。
【００１４】
本発明に係る両面表示装置は、光源をさらに含み、
前記２枚の表示パネルが、いずれも液晶表示パネルによって実現され、
前記剛性体が、前記光源から出射された光を各液晶表示パネルへ導く導光板によって実現されてもよい。
【００１５】
また本発明は、前記剛性体と前記保持部とによって構成される部分が、前記表示面に対向して見たときに、Ｈ字状またはＵ字状を呈していることを特徴とする。
【００１６】
また本発明は、前記部品設置体は、板状に形成され、
前記電装部品は、前記２枚の表示パネルを駆動する駆動回路部を含み、
前記駆動回路部は、前記部品設置体の主面上に設置されることを特徴とする。
【００１７】
また本発明は、前記部品設置体は、その厚み方向が前記２枚の表示パネルの厚み方向に一致するように前記保持部によって保持され、
前記駆動回路部は、一方の表示パネルを駆動する第１駆動回路部と、他方の表示パネルを駆動する第２駆動回路部とを有し、
前記第１駆動回路部は、前記部品設置体において、前記一方の表示パネルが配置される側の主面上に設置され、前記第２駆動回路部は、前記部品設置体において、前記他方の表示パネルが配置される側の主面上に設置されることを特徴とする。
【発明の効果】
【００１８】
本発明によれば、装置の正面および背面に画像を表示する両面表示装置において、装置の薄型化とともに十分な強度を確保することができるとともに、各種の電装部品を有効に配置することができる。
【図面の簡単な説明】
【００１９】
【図１】本発明の一実施形態に係る両面表示装置１の斜視図である。
【図２】本発明の一実施形態に係る両面表示装置１を分解して示した分解斜視図である。
【図３】図２における切断面線ＩＩＩ−ＩＩＩから見た断面の一部を拡大して示す断面図である。
【図４】図２における切断面線ＩＶ−ＩＶから見た断面の一部を拡大して示す断面図である。
【発明を実施するための形態】
【００２０】
図１は、本発明の一実施形態に係る両面表示装置１の斜視図である。図２は、本発明の一実施形態に係る両面表示装置１を分解して示した分解斜視図である。図３は、図２における切断面線ＩＩＩ−ＩＩＩから見た断面の一部を拡大して示す断面図である。
【００２１】
両面表示装置１は、装置の正面および背面に、画像データに応じた画像を表示可能に構成された表示装置であり、本実施形態では、スタンド方式の表示装置として構成されている。
【００２２】
具体的には、本実施形態に係る両面表示装置１は、図２に示すように、画像が両面に表示されるように構成された表示部２と、その表示部２を、道路や通路などの床面に対して起立させて設置するためのスタンド部３とによって構成されている。
【００２３】
なお、本実施形態に係る両面表示装置１において、装置の正背方向を「前後方向Ｘ」と称し、装置を床面に設置した状態（以下、「床面設置状態」と称する）における上下方向を「高さ方向Ｚ」と称し、前後方向Ｘおよび高さ方向Ｚのいずれにも垂直な方向を「幅方向Ｙ」と称することとする。
【００２４】
以下、両面表示装置１における表示部２の構成について、図１〜図３を参照して説明する。
【００２５】
両面表示装置１における表示部２は、大略的に、一方の主面２１に表示面２２を有し、その表示面２２に画像を表示するように構成された２枚の表示パネル１１ａ，１１ｂと、その表示パネル１１ａ，１１ｂよりも高い剛性を有する板状の剛性体１２と、それぞれの厚み方向が前後方向Ｘに一致するような姿勢で、前後方向Ｘに沿って順に並べて配置された表示パネル１１ａ、剛性体１２および表示パネル１１ｂを保持する保持部１３とを含んで構成されている。以下、表示パネル１１ａ，１１ｂについて、特に区別する必要が無い場合には、単に「表示パネル１１」と記す。
【００２６】
本実施形態では、両面表示装置１の表示部２を構成している各表示パネル１１はそれぞれ、ＴＦＴ（Thin Film Transistor）基板とＣＦ（Color Filter）基板との間に液晶を封入して構成される液晶表示パネルによって実現されているものとする。そのため、両面表示装置１の表示部２は、液晶表示パネルに照射するための光を出射する光源１４をさらに含んで構成されている。
【００２７】
また、本実施形態では、両面表示装置１の表示部２を構成している剛性体１２は、光源１４から出射された光を、各液晶表示パネルへ導く導光板によって実現されており、この導光板の各主面２４には、各液晶表示パネルによって表示される画像の表示画質を向上させるための種々の機能が付与された一群の光学シート１５が、それぞれ積重されている。この一群の光学シート１５には、たとえば拡散シート、レンズシートおよび偏光反射シートなどが含まれる。
【００２８】
以下では、表示パネル１１を「液晶表示パネル１１」と記し、剛性体１２を「導光板１２」と記して、両面表示装置１における表示部２の構成について詳細に説明する。
【００２９】
各液晶表示パネル１１は、各主面２１，２３の形状が横長の矩形状となるように形成された板状体であり、本実施形態では、２枚の液晶表示パネル１１は、全く同一に構成されている。すなわち、各液晶表示パネル１１は、同一の形状であって、同一の大きさに形成されている。
【００３０】
導光板１２は、各主面２４の形状が横長の矩形状となるように形成された無色透明の板状体であり、たとえばアクリル樹脂などの樹脂から成る。導光板１２は、後述するように支柱４１に対向して配置される側面を通過して入射した光を、各主面２４から出射させるために、各主面２４には、白色インクなどでドットプリントが施されている。より詳細には、各主面２４に設けられるドットは、厚み方向において互いに重複しないように互い違いに形成されている。
【００３１】
また導光板１２は、本実施形態では、主面２４の大きさが、液晶表示パネル１１における表示面２２の大きさよりも大きく、液晶表示パネル１１における主面２１，２３の大きさよりも小さくなるように形成されている。また、各光学シート１５は、その主面の大きさが、導光板１２の主面２４の大きさと略同一となるように形成されている。
【００３２】
保持部１３は、高さ方向Ｚに沿って延びるように設けられ、スタンド部３によって支持される一対の側方保持部３１と、幅方向Ｙに沿って延びるように、この一対の側方保持部３１間にわたって架設される上方保持部３２および下方保持部３３とを含んで構成されている。
【００３３】
一対の側方保持部３１は、各液晶表示パネル１１を、それぞれの他方の主面２３同士が互いに対向し、それぞれの表示面２２が外部に露出するように、間隔をあけて保持するとともに、光学シート１５が積重された導光板１２を、２枚の表示パネル１１の間で保持するように構成されている。
【００３４】
本実施形態に係る両面表示装置１では、２枚の液晶表示パネル１１は、その主面２１，２３における長辺が、高さ方向Ｚに沿って延びるような姿勢で、その表示面２２よりも面方向外方の部分である矩形枠状の周縁部のうちの長辺部２５が、一対の側方保持部３１によって保持されている。
【００３５】
より詳細には、２枚の液晶表示パネル１１は、前後方向Ｘに垂直な仮想一平面に対して、各表示面２２を前後方向Ｘに投影したときに、各表示面２２に対する投影領域が互いに一致するように、一対の側方保持部３１によって保持されている。
【００３６】
また、導光板１２は、その主面２４における長辺が、高さ方向Ｚに沿って延びるような姿勢で、その矩形枠状の周縁部のうちの長辺部２６が、一対の側方保持部３１によって保持されている。
【００３７】
より詳細には、導光板１２は、前後方向Ｘに垂直な仮想一平面に対して、主面２４を前後方向Ｘに投影したときの投影領域が、２枚の液晶表示パネル１１の各表示面２２を前後方向Ｘに投影したときの投影領域を包含するように、一対の側方保持部３１によって保持されている。
【００３８】
以下、図３を参照して、側方保持部３１の構成について説明する。側方保持部３１は、金属製の支柱４１と、２枚の金属製の板状部材４２と、スペーサ４３と、外枠部４４とを含んで構成される。
【００３９】
支柱４１は、液晶表示パネル１１の主面２１，２３における長辺よりも長尺に形成された棒状体であり、本実施形態では、その長手方向に垂直な仮想一平面で切断したときの断面の形状が、大略的に横長の矩形状となるように形成されており、熱伝導率が良好なアルミニウムから成っている。
【００４０】
この支柱４１において、その長手方向に垂直な略矩形状の断面における短辺の延びる方向を厚み方向とし、その長手方向およびその厚み方向のいずれにも垂直な方向を幅方向とすると、支柱４１は、その長手方向が高さ方向Ｚに一致し、その厚み方向が前後方向Ｘに一致するような姿勢で設けられる。また支柱４１は、本実施形態では、その厚み方向の寸法ｄ１が、光学シート１５が積重された導光板１２の厚み方向の寸法ｄ２よりも大きくなるように形成されているものとする。
【００４１】
そして、このような支柱４１における厚み方向の各表面部５１に対して、矩形板状に形成された２枚の板状部材４２がそれぞれ固定されている。各板状部材４２は、その長手方向の寸法が、支柱４１の長手方向の寸法と略同一となるように形成され、その長手方向が支柱４１の長手方向に一致し、その厚み方向が支柱４１の厚み方向に一致するように、支柱４１の各表面部５１に対して固定されている。
【００４２】
より詳細には、各板状部材４２は、図３に示すように、その一部が、支柱４１の幅方向における一方の表面部５２よりも、該幅方向の外方に突出するように、支柱４１の各表面部５１に対して固定されている。
【００４３】
以下、支柱４１に固定された各板状部材４２において、支柱４１の表面部５２よりも幅方向の外方に突出した部分を、「突出部６１」と称することとする。なお、本実施形態では、各板状部材４２は、締結具を用いることによって、支柱４１に対して締結固定されている。
【００４４】
前記のように支柱４１に対して固定された各板状部材４２の突出部６１によって、光学シート１５が積重された導光板１２の長辺部２６が保持される。具体的には、各板状部材４２の突出部６１の間に配置された導光板１２の長辺部２６と、各板状部材４２の突出部６１との間に、スペーサ４３を介装し、図示しない締結具を用いてこれらを締結することによって、導光板１２の長辺部２６は、各板状部材４２の突出部６１によって保持される。
【００４５】
ここで、図３に示すように、本実施形態では、支柱４１の表面部５２には、支柱４１の幅方向の外方に向けて光を出射するように、光源１４が、支柱４１の長手方向に沿って、ブラケット１６を介して設置されており、前記のスペーサ４３は、各板状部材４２によって保持された導光板１２の側面が、光源１４に対向して配置されるように介装される。なお、本実施形態では、光源１４は、ＬＥＤ基板１４ａに搭載された複数のＬＥＤ（Light Emitting Diode）素子１４ｂによって実現されている。
【００４６】
外枠部４４は、その長手方向の寸法が、支柱４１の長手方向の寸法と略同一であって、その長手方向に垂直な仮想一平面で切断したときの断面の形状がＵ字状となるように形成されており、本実施形態では、前記仮想一平面で切断したときの断面の形状がＬ字状となるように形成された２つの板状部材６２によって構成されている。
【００４７】
各板状部材６２はそれぞれ、矩形板状に形成される挟持部６３と、矩形板状に形成され、挟持部６３に対して直角に屈曲して連なる固定部６４とから成り、各挟持部６３は、その長手方向およびその厚み方向に垂直な方向における寸法が、板状部材４２が固定された支柱４１の幅方向における、突出部６１の先端から表面部５２とは反対側の表面部５３までの距離と略同一となるように形成されている。
【００４８】
そして、この各板状部材６２の挟持部６３における、固定部６４が連なる側とは反対側の端部６５と、各板状部材４２の突出部６１とによって、各液晶表示パネル１１の長辺部２５がそれぞれ保持される。具体的には、板状部材４２の突出部６１と挟持部６３の端部６５との間に、液晶表示パネル１１の長辺部２５を配置し、突出部６１と長辺部２５および挟持部６３と長辺部２５の間にスペーサ４３を介装して、図示しない締結具を用いてこれらを締結することによって、液晶表示パネル１１の長辺部２５は、板状部材４２と板状部材６２とによって保持される。
【００４９】
また、各板状部材６２における固定部６４は、支柱４１の表面部５３上に積重され、図示しない締結具を用いてこれらを締結することによって、支柱４１に対して固定される。図３では、一方の側方保持部３１についてのみ示しているが、他方の側方保持部３１についても上記と同様に構成されているものとする。
【００５０】
一方、保持部１３における上方保持部３２および下方保持部３３は、一対の側方保持部３１によってその長辺部２５，２６が保持された各液晶表示パネル１１および導光板１２において、表示面２２よりも高さ方向Ｚの上方側に配置される各短辺部、および表示面２２よりも高さ方向Ｚの下方側に配置される各短辺部を覆うように構成されている。
【００５１】
すなわち、両面表示装置１の表示部２は、各液晶表示パネル１１の周縁部および導光板１２の周縁部がそれぞれ、一対の側方保持部３１、上方保持部３２および下方保持部３３によって覆われて構成されている。なお、上方保持部３２および下方保持部３３は、側方保持部３１と同様に構成されているため説明を省略する。
【００５２】
本実施形態に係る両面表示装置１の表示部２は、上方保持部３２が、各側方保持部３１における高さ方向Ｚの上端部３１ａ間にわたって架設され、下方保持部３３が、各側方保持部３１における高さ方向Ｚの下端部よりも上方の位置において、各側方保持部３１間にわたって架設されている。
【００５３】
すなわち、各側方保持部３１は、下方保持部３３よりも下方にまで延在している。以下、各側方保持部３１において、下方保持部３３よりも下方に延在している部分を「延設部分３４」と称することとする。各側方保持部３１において、この延設部分３４を除く残余の部分において、各液晶表示パネル１１の各長辺部２５および導光板１２の各長辺部２６が覆われる。
【００５４】
このように、本実施形態では、表示部２において、導光板１２と保持部１３とによって構成される部分が、液晶表示パネル１１の表示面２２に対向してみたときに、Ｕ字状を呈している。なお、他の実施形態では、導光板１２と保持部１３とによって構成される部分が、液晶表示パネル１１の表示面２２に対向してみたときに、Ｈ字状を呈するように構成されてもよい。
【００５５】
図４は、図２における切断面線ＩＶ−ＩＶから見た断面の一部を拡大して示す断面図である。本実施形態では、表示部２は、各側方保持部３１の延設部分３４によって保持される部品設置体１７と、電装部品１８とをさらに含んで構成される。
【００５６】
部品設置体１７は、液晶表示パネル１１よりも高い剛性を有し、各主面２７の形状が横長の矩形状となるように形成された金属製の板状体であり、その主面２７の大きさは、主面２７における長辺の寸法が、導光板１２の主面２４における短辺の寸法に略一致し、主面２７における短辺の寸法が、延設部分３４の長手方向の寸法に一致するように形成されている。
【００５７】
そして、この部品設置体１７は、その厚み方向が前後方向Ｘに一致するような姿勢で、その周縁部のうちの各短辺部２８が、各側方保持部３１の延設部分３４における各板状部材４２の突出部６１によってそれぞれ保持される。
【００５８】
具体的には、各板状部材４２の突出部６１の間に配置された部品設置体１７の短辺部２８と、各板状部材４２の突出部６１との間に、スペーサ４３を介装し、図示しない締結具を用いてこれらを締結することによって、部品設置体１７の短辺部２８は、各板状部材４２の突出部６１によって保持される。
【００５９】
このように、本実施形態では、部品設置体１７は、前後方向Ｘに垂直な仮想一平面に対して、部品設置体１７の主面２７を前後方向Ｘに投影したときに、その投影領域が、各液晶表示パネル１１の表示面２２を前記仮想一平面に対して投影したときの投影領域と重複しないように配置されて、各側方保持部３１の延設部分３４によって保持される。
【００６０】
電装部品１８は、一方の液晶表示パネル１１ａを駆動する第１の駆動回路基板１８ａと、他方の液晶表示パネル１１ｂを駆動する第２の駆動回路基板１８ｂとを含み、第１の駆動回路基板１８ａは、部品設置体１７における各主面２７のうち、一方の液晶表示パネル１１ａが配置される側の主面２７に設置され、第２の駆動回路基板１８ｂは、部品設置体１７における各主面２７のうち、他方の液晶表示パネル１１ｂが配置される側の主面２７に設置される。
【００６１】
電装部品１８には、第１および第２の駆動回路基板１８ａ，１８ｂのほかに、スピーカ、電源基板および制御基板などが含まれ、これらの電装部品１８も、第１および第２の駆動回路基板１８ａ，１８ｂと同様に、部品設置体１７におけるいずれかの主面２７に対して設置される。
【００６２】
一方、両面表示装置１におけるスタンド部３は、床面に対して当接する部分であって、Ｈ字状に形成された当接部７１と、表示部２における側方保持部３１間の間隔に等しい間隔を空けて、当接部７１から高さ方向Ｚに立設し、それぞれ各側方保持部３１の延設部分３４における支柱４１を差込可能に形成された差込部７２と、各差込部７２間にわたって架設されたカバー体７３とを含んで構成される。
【００６３】
本実施形態に係る両面表示装置１は、表示部２における各側方保持部３１の延設部分３４における支柱４１を、スタンド部３における各差込部７２にそれぞれ差し込んで、図示しない締結具を用いて締結固定することによって構成され、これにより、電装部品１８が設置された部品設置体１７は、外部に露出しないように、前後方向Ｘの両側からカバー体７３によって被覆される。
【００６４】
以上のように、本実施形態に係る両面表示装置１は、一対の側方保持部３１によって、画像を表示する２枚の液晶表示パネル１１が間隔を空けて保持されるとともに、その２枚の液晶表示パネル１１の間で、液晶表示パネル１１よりも高い剛性を有する導光板１２が保持されて構成されるので、片面用の表示装置を単に重ね合わせて構成される従来の両面表示装置よりも、装置を薄型化することができるとともに、十分な強度を確保することができる。なお、本実施形態によれば、両面表示装置１は、表示部２における前後方向Ｘの寸法Ｔを２０ｍｍ以下とすることができる。
【００６５】
また、液晶表示パネル１１よりも高い剛性を有する導光板１２に加えて、各側方保持部３１における延設部分３４によって、液晶表示パネル１１よりも高い剛性を有する部品設置体１７が保持されて構成されているので、両面表示装置１の強度をさらに高めることができる。
【００６６】
また、本実施形態に係る両面表示装置１は、表示部２における各側方保持部３１が、液晶表示パネル１１および導光板１２を保持している部分よりも下方に延在している延設部分３４を有しているので、この一対の延設部分３４によって挟まれた領域に、各液晶表示パネル１１を駆動するための駆動回路基板１８ａ，１８ｂを含む電装部品１８を有効に配置することができる。
【００６７】
また、本実施形態に係る両面表示装置１では、光源１４が設置される支柱４１が熱伝導率の良好なアルミニウムから成るので、光源１４にて発生した熱を効果的に放熱することができる。なお、他の実施形態では、放熱効果をさらに高めるために、支柱４１に放熱用のフィンを設けてもよい。
【００６８】
上記の実施形態では、両面表示装置１は、床面に対して起立させて設置されるように構成されているが、他の実施形態では、天井などに吊り下げて設置されるように構成されてもよい。この場合には、両面表示装置１は、上記の実施形態における表示部２と、天井に吊り下げるための吊下げ部とによって構成される。
【００６９】
また上記の実施形態では、両面表示装置１は、表示パネルとして液晶表示パネルを用いることによって構成されているが、他の実施形態では、有機ＥＬ（Electroluminescence）パネルを表示パネルとして用いてもよい。この場合には、剛性体は、たとえば金属製の板状部材によって実現される。
【００７０】
また上記の実施形態では、両面表示装置１は、各液晶表示パネル１１が、その主面２１，２３における長辺が高さ方向Ｚに一致するような姿勢で保持されて構成されているが、他の実施形態では、各液晶表示パネル１１が、その主面２１，２３における短辺が高さ方向Ｚに一致するような姿勢で保持されて構成されてもよい。
【符号の説明】
【００７１】
１  両面表示装置
２  表示部
３  スタンド部
１１  表示パネル（液晶表示パネル）
１２  剛性体（導光板）
１３  保持部
１４  光源
２２  表示面
３１  側方保持部
４１  支柱
４２  板状部材
４３  スペーサ
４４  外枠部
【図１】
2014081507.tif 000003
【図２】
2014081507.tif 000004
【図３】
2014081507.tif 000005
【図４】
2014081507.tif 000006